(57)【要約】      （修正有）【課題】施錠装置のキー差込部が破壊され、施錠装置が解錠状態となっても、シャッターカーテンの上動を規制して、建物内への侵入を防止できる防犯装置を提供する。【解決手段】シャッターカーテン２をその所要高さ位置に設けた施錠装置でロックするようにしたシャッターにおいて、シャッターカーテン２の表側所要部に露出している施錠装置のキー差込部１２を被うように配置されるバー本体１４と、バー本体１４の両端面に固着された施錠孔付き連結板１５とからなるロックバー１３を設け、両ガイドレール３，３側には、ロックバー１３の連結板１５に当接すると共にその施錠孔に合致する施錠孔を有する連結部材１８を取り付け、ロックバー１３を配置して、その連結板１５をガイドレール３側の連結部材１８に当接させ、連結板１５の施錠孔と連結部材１８の施錠孔とにわたって南京錠１９を装着する。【選択図】図１
2013237980.tif 000002
【特許請求の範囲】
【請求項１】
シャッターカーテンの両側端部が建物開口部の両側部に立設したガイドレールに案内されて上下動することで建物開口部を開閉し、全閉したシャッターカーテンをその所要高さ位置に設けた施錠装置によってロックするようにしたシャッターの防犯装置において、
全閉したシャッターカーテンの表側所要部に露出している前記施錠装置のキー差込部を被うように水平に配置されるバー本体と、バー本体の両端面にバー本体と直交するように固着された施錠孔付き連結板とからなるロックバーを設ける一方、両ガイドレール側に、ロックバーの連結板に当接すると共にその施錠孔に合致する施錠孔を有する連結部材を取り付け、而してロックバーをそのバー本体が全閉したシャッターカーテンの表面側にある前記キー差込部を被うように水平に配置してロックバー側の連結板をガイドレール側の連結板に当接させ、連結板の施錠孔と連結部材の施錠孔とにわたって南京錠を装着してなるシャッターの防犯装置。
【請求項２】
全閉したシャッターカーテンの前記施錠装置のキー差込部を被うように水平に配置される上部側ロックバーの下方で同シャッターカーテンの下端部側に配置される、前記上部側ロックバーと同じ構造の下部側ロックバーを備え、両ガイドレール側にはロックバーの連結板に当接すると共にその施錠孔に合致する施錠孔を有する連結部材を取り付け、而して下部側ロックバーを前記上部側ロックバーの下方でシャッターカーテンの下端部側に水平に配置してロックバー側の連結板をガイドレール側の連結板に当接させ、連結板の施錠孔と連結部材の施錠孔とにわたって南京錠を装着し、シャッターカーテンの下端には、前記施錠装置のキー差込部が不測に解錠操作されてシャッターカーテンが上動しても前記下部側ロックバーのバー本体に引っ掛かかってそれ以上の上動を阻止する係止板部を有する座板を連設してなる請求項１に記載のシャッターの防犯装置。
【請求項３】
ロックバーのバー本体の上面所要部には、全閉したシャッターカーテンの前記施錠装置のキー差込部の真上位置でスラット間に形成される凹状部に突入する防護プレートを固着突設してなる請求項１に記載のシャッターの防犯装置。
【請求項４】
ロックバーのバー本体はアングル材からなる請求項１〜３の何れかに記載のシャッターの防犯装置。
【請求項５】
ガイドレール側に設けられる連結部材は、一方の板片部がガイドレール側に固着されたアングル片の他方の板片部からなる請求項１〜４の何れかに記載のシャッターの防犯装置。
【請求項６】
ガイドレール側に設けられる連結部材は、ガイドレール側に蝶着されて、ロックバーの連結板に当接するように起立する起立位置と、ガイドレール側に折り畳まれる折畳位置とに回動可能となっている請求項１〜５の何れかに記載のシャッターの防犯装置。
【請求項７】
ガイドレール側に設けられる連結部材は、シャッターカーテンの高さとほぼ同じ長さの長尺部材からなるもので、この長尺部材からなる連結部材には、ロックバーの連結板が南京錠で取り付けられる取付位置の下側に、その連結板を載せ置くための載せ置き部材を固着した請求項請求項１〜６の何れかに記載のシャッターの防犯装置。
【発明の詳細な説明】
【技術分野】
【０００１】
本発明は、建物開口部に設置したシャッターの防犯装置に関し、詳しくは、建物開口部を全閉したシャッターカーテンの上動を規制するようにしたシャッターの防犯装置に関するものである。
【背景技術】
【０００２】
シャッターの施錠装置を破壊して建物内への侵入を試みようとする犯罪が起きている。近年、特に多いのは、建物開口部を全閉したシャッターカーテンの表側所要部に露出している施錠装置のキー差込部にドリル等を突っ込んで、シリンダー錠部を破壊することにより施錠装置を解錠状態にして、シャッターカーテンを上動するという手口であるが、現在のところ、このような手口に対し有効な防犯装置が提供されていない。
【発明の概要】
【発明が解決しようとする課題】
【０００３】
本発明は、上記の事情に鑑み、施錠装置のキー差込部にドリル等が突っ込まれてシリンダー錠部が破壊され、施錠装置が解錠状態となった場合でも、シャッターカーテンの上動を規制して、建物内への侵入を防止できるシャッターの防犯装置を提供することを目的とする。
【課題を解決するための手段】
【０００４】
上記課題を解決するための手段を、後述する実施形態の参照符号を付して説明すると、請求項１に係る発明のシャッターの防犯装置は、シャッターカーテン２の両側端部が建物開口部１の両側部に立設したガイドレール３，３に案内されて上下動することで建物開口部１を開閉し、全閉したシャッターカーテン２をその所要高さ位置に設けた施錠装置７によってロックするようにしたシャッターの防犯装置において、
全閉したシャッターカーテン２の表側所要部に露出している前記施錠装置７のキー差込部１２を被うように水平に配置されるバー本体１４と、バー本体１４の両端面にバー本体１４と直交するように固着された施錠孔１６付き連結板１５とからなるロックバー１３を設ける一方、両ガイドレール３，３側には、ロックバー１３の連結板１５に当接すると共にその施錠孔１６に合致する施錠孔１７を有する連結部材１８を取り付け、而してロックバー１３をそのバー本体１４が全閉したシャッターカーテン２の表面側にある前記キー差込部１２を被うように水平に配置して、ロックバー１３側の連結板１５をガイドレール３側の連結部材１８に当接させ、連結板１５の施錠孔１６と連結部材１８の施錠孔１７とにわたって南京錠１９を装着してなることを特徴とする。
【０００５】
請求項２は、請求項１に記載のシャッターの防犯装置において、全閉したシャッターカーテン２の前記施錠装置７のキー差込部１２を被うように水平に配置される上部側ロックバー１３の下方で同シャッターカーテン２の下端部側に配置される、前記上部側ロックバー１３と同じ構造の下部側ロックバー２３を備え、両ガイドレール３側にはロックバー２３の連結板１５に当接すると共にその施錠孔１６に合致する施錠孔１７を有する連結部材１８を取り付け、而して下部側ロックバー２３を前記上部側ロックバー１３の下方でシャッターカーテン２の下端部側に水平に配置してロックバー１３側の連結板１５をガイドレール３側の連結部材１８に当接させ、連結板１５の施錠孔１６と連結部材１８の施錠孔１７とにわたって南京錠１９を装着し、シャッターカーテン２の下端には、前記施錠装置７のキキー差込部１２が不測に解錠操作されてシャッターカーテン２が上動しても前記下部側ロックバー２３のバー本体１４に引っ掛かかってそれ以上の上動を阻止する係止板部２０ａを有する座板２０を連設してなることを特徴とする。
【０００６】
請求項３は、請求項１に記載のシャッターの防犯装置において、前記上部側ロックバー１３のバー本体１４の上面所要部には、全閉したシャッターカーテン２の前記施錠装置７のキー差込部１２の真上位置でスラット２ａ，２ａ間に形成される凹状部２ｏに突入する防護プレート２１を固着突設してなることを特徴とする。
【０００７】
請求項４は、請求項１〜３の何れかに記載のシャッターの防犯装置において、ロックバー１３，２３のバー本体１４はアングル材からなることを特徴とする。
【０００８】
請求項５は、請求項１〜４の何れかに記載のシャッターの防犯装置において、ガイドレール３側に設けられる連結部材１８は、一方の板片部２９ａがガイドレール３側に固着されたアングル片２９の他方の板片部２９ｂからなることを特徴とする。
【０００９】
請求項６は、請求項１〜５の何れかに記載のシャッターの防犯装置において、ガイドレール３側に設けられる連結部材１８は、ガイドレール３側に蝶着されて、ロックバー１３，２３の連結板１５に当接するように起立する起立位置と、ガイドレール３側に折り畳まれる折畳位置とに回動可能となっていることを特徴とする。
【００１０】
請求項７は、請求項１〜６の何れかに記載のシャッターの防犯装置において、ガイドレール３側に設けられる連結部材１８は、シャッターカーテン２の高さとほぼ同じ長さの長尺部材からなるもので、この長尺部材からなる連結部材１８には、ロックバー１３，２３の連結板１５が南京錠１９で取り付けられる取付位置の下側に、その連結板１５を載せ置くための載せ置き部材３３を固着したことを特徴とする。
【発明の効果】
【００１１】
上記解決手段による発明の効果を、後述する実施形態の参照符号を付して説明すると、請求項１に係る発明の防犯装置によれば、この防犯装置を、全閉したシャッターカーテン２の表側に設置しておけば、建物内への侵入を試みようとする者（侵入者）が電動ドリル等でシャッターカーテン２のキー差込部１２を切削破壊しようとしても、そのキー差込部１２がロックバー１３のバー本体１４で被われているから、ドリル等をキー差込部１２に近づけることができず、破壊することができない。
【００１２】
請求項２に係る発明の防犯装置によれば、仮に、施錠装置７のキー差込部１２が不測に解錠操作されてシャッターカーテン２の上動が可能な状態となったとしても、シャッターカーテン２の下端に連設された座板２の係止板部２０ａが下部側ロックバー２３のバー本体１４に引っ掛かかって、それ以上の上動が阻止されるから、シャッターカーテン２を開けることができない。この場合、下部側ロックバー２３のバー本体１４と床面Ｆとの隙間は、例えば１２〜１５ｃｍ程度しか開いていないため、そのような隙間から不法侵入者が侵入することはできない。
【００１３】
請求項３に係る発明の防犯装置によれば、ロックバー１３にはキー差込部１２の真上位置で隣り合うスラット２ａ，２ａ間に形成される凹状部２ｏに突入する防護プレート２１が突設されているから、不法侵入者がシャッターカーテン２のキー差込部１２近傍を建物内方へ押した状態でドリル等によりシャッターカーテン２のキー差込部１２を破壊しようとしても、キー差込部１２の上部側が防護プレート２１で防護されているから、ドリル等をキー差込部１２に当てることができず、結局キー差込部１２を破壊できなくなる。また、防護プレート２１は、シャッターカーテン２の隣り合うスラット２ａ，２ａ間の凹状部２ｏに突入しているため、この防護プレート２１がストッパーとなって、シャッターカーテン２を上動させることができできない。
【００１４】
請求項４に係る発明によれば、ロックバー１３，２３のバー本体１４はアングル材からなるため、角形鋼に比べて軽量にもかかわらず、曲げ強度に優れ、非常に頑丈である。
【００１５】
請求項５に係る発明によれば、連結部材１８は、一方の板片部２９ａがガイドレール３側に固着されたアングル片２９の他方の板片部２９ｂからなるものであるため、ガイドレール３に簡単容易に取り付けることができる。
【００１６】
請求項６に係る発明のように、折り畳み可能な連結部材１８とすれば、シャッターを開放して防犯装置を使用しない時には、連結部材１８を折り畳んでおけば、連結部材１８に衣服や身体などを引っ掛けるようなことがなく、安全性を確保できる。
【００１７】
請求項７に係る発明によれば、ロックバー１３，２３の一方の連結板１５を一方のガイドレール３側の連結部材１８に当接させると共に、その連結板１５に固着された載せ置き部材３に載せ置いて、ロックバー１３，２３の他方の連結板１５を他方のガイドレール３側の連結部材１８に当接させ、その連結板１５と連結部材１８とに南京錠１９を装着した後に、ロックバー１３，２３の前記一方の連結板１５と連結部材１８とに南京錠１９を装着するようにすれば、ロックバー１３，２３の設置作業を一人の作業者で行うことができる。因に、このような載せ置き部材３３が無ければ、一人では作業ができず、少なくとも二人の作業者が必要となる。
【図面の簡単な説明】
【００１８】
【図１】本発明に係る防犯装置を備えたシングルシャッターを表側から見た正面図である。
【図２】同シャッターを裏側から見た図面である。
【図３】防犯装置のロックバーを示す斜視図である。
【図４】図１のＶ−Ｖ線拡大断面図である。
【図５】(a) は図１の矢印Ｗで示す部分の拡大斜視図、(b) は(a) に示す部分の横断面図である。
【図６】(a) は本発明に係る防犯装置に使用する南京錠の正面図で、施錠状態を示し、(b) は同南京錠の解錠状態を示す正面図、(c) は同南京錠の底面図である。
【図７】はガイドレール側に取り付けられる折り畳みタイプの連結部材を示す斜視図である。
【図８】本発明に係る防犯装置を備えたダブルシャッターを表側から見た正面図である。
【図９】(a) は図８のＸ−Ｘ線拡大断面図、(b) は(a) の矢印Ｙから見た部分の斜視図である。
【発明を実施するための形態】
【００１９】
以下に本発明の好適な一実施形態を図面に基づいて説明すると、図１は、本発明に係る防犯装置を備えたシングルシャッターが建物開口部１を全閉した状態を表側から見た正面図であり、図２は同シャッターを裏側から見た図面である。このシャッターは、左右支柱１ａ，１ａと両支柱１ａ，１ａの上端部をつなぐ横枠１ｂと床面Ｆとによって形成される建物開口部１内に設置されるもので、建物開口部１の幅方向に延びる複数のスラット２ａ・・・を上下に連設して形成されたシャッターカーテン２と、建物開口部１の左右支柱１ａ，１ａに沿って配設され、シャッターカーテン２の幅方向両端部を受け入れて案内する左右両側のガイドレール３，３と、建物開口部１の上方に設けられたシャッターケース４に内装され、シャッターカーテン２の上端部が連結された巻取ドラム５とを備えている。巻取ドラム５は、固定軸５ａと、、固定軸５ａに所定間隔をおいて回転自在に外嵌する複数のホイール５ｂと、これらホイール５ｂを軸方向に連結して各ホイール５ｂが一体回転するように配設されるステー５ｃとによって構成され、また巻取ドラム５には一端が固定軸５ａに固定され、他端がホイール５ｂに固定されたバランススプリング６が設けられ、このバランススプリング６は、巻取ドラム５に連結されたシャッターカーテン２の自重とバランスされる荷重に相当する付勢力を蓄勢するようになっている。
【００２０】
図２に示すように、建物開口部１を全閉したシャッターカーテン２の中段よりも下方に位置するスラット２ａと両ガイドレール３，３との間に周知構造のシャッター施錠装置７が設けられている。この施錠装置７について説明すると、当該スラット２ａの裏側には、スラッと２ａの幅方向中央部に鍵部８が設けられ、この鍵部８の中央にはシリンダ錠９によって回転されるリンク（図示せず）が設けられ、このリンクには左右方向に延びるリンクバー１０，１０が連結されており、両リンクバー１０，１０は、ガイド部１１により摺動自在に支持され、前記リンクの回転により互いに逆方向に変移するようになっている。そして、図１に示すように、上記鍵部８のシリンダ錠９の施錠操作及び解錠操作を行なうキー（図示せず）を差し込むためのキー差込部１２がシャッターカーテン２の表側に露出するように設けられている。
【００２１】
而して、前記キー差込部１２にキーを差し込んでシリンダ錠９を施錠方向に回転させ、それにより前記リンクを介し両リンクバー１０，１０をシャッターカーテン２の両端より突出する方向にスライドさせると、両リンクバー１０，１０の先端部に形成された係止部（図示せず）がガイドレール３，３内に夫々設けられた被係止部に係止して、シャッターカーテン２の上動を規制するようになっている。また、キー差込部１２にキーを差し込んでシリンダ錠９を逆方向、即ち解錠方向に回転させると、前記リンクを介して両リンクバー１０，１０がシャッターカーテン２の両端から内方へスライドして、両リンクバー１０，１０の先端係止部がガイドレール３，３内の被係止部から離脱して、シャッターカーテン２の上動が可能な状態となる。
【００２２】
次に、本発明に係るシャッターの防犯装置、即ち施錠装置７のキー差込部１２にドリル等が突っ込まれてシリンダー錠９が破壊され、施錠装置７が解錠状態となった場合でも、シャッターカーテン２の上動を規制して、建物内への侵入を防止できるようにした防犯装置について、以下に説明する。
【００２３】
この防犯装置は、図１〜図５に示すように、全閉したシャッターカーテン２の表側所要部に露出している前記施錠装置７のキー差込部１２を被うように水平に配置されるバー本体１４と、このバー本体１４の両端面に夫々バー本体１４と直交するように固着された連結板１５，１５とからなるロックバー１３（図３参照）を設けて、各連結板１５に施錠孔１６を形成する一方、両ガイドレール３，３側には、ロックバー１３の連結板１５に当接すると共に、前記連結板１５の施錠孔１６に合致する施錠孔１７を有する連結部材１８を取り付け、而して図１及び図５に示すようにロックバー１３をそのバー本体１４がシャッターカーテン２の表面側にあるキー差込部１２を被うように水平に配置して、ロックバー１３側の連結板１５をガイドレール３側の連結部材１８に当接させ、連結板１５の施錠孔１６と連結部材１８の施錠孔１７とにわたって南京錠１９を装着するようにしたものである。ロックバー１３のバー本体１４は、図３及び図４に示すように、水平板部１４ａと垂直板部１４ｂとよりなるステンレス鋼製のアングル材からなるもので、設置に際しては、その垂直板部１４ｂがシャッターカーテン２の前面に近接するように配置される。
【００２４】
またこの防犯装置では、図１及び図４から分かるように、キー差込部１２を被うように水平に配置した前記上部側ロックバー１３の下方で同シャッターカーテン２の下部側に位置する前記上部側ロックバー１３と同じ構造の下部側ロックバー２３を備え、両ガイドレール３，３側には当該ロックバー１３の連結板１５に当接すると共にその施錠孔１６に合致する施錠孔１７を有する連結部材１８を設け、而してこの下部側ロックバー１３を、図１に示すようにシャッターカーテン２の下部側に水平に配置して、前記上部側ロックバー１３と同様にロックバー１３側の連結板１５をガイドレール３側の連結部材１８に当接させ、連結板１５の施錠孔１６と連結部材１８の施錠孔１７とにわたって南京錠１９を装着するようにしている。
【００２５】
上記のようにロックバー１３を、そのバー本体１４がシャッターカーテン２の表面側にあるキー差込部１２を被うように水平に配置して、ロックバー１３側の連結板１５をガイドレール３側の連結部材１８に当接させ、連結板１５の施錠孔１６と連結部材１８の施錠孔１７とにわたって南京錠１９を装着しておくことにより、建物内への侵入を試みようとする者が例えば電動ドリルでシャッターカーテン２のキー差込部１２を切削破壊しようとしても、そのキー差込部１２がロックバー１３のバー本体１４で被われているから、ドリルをキー差込部１２に近づけることができず、シャッターカーテン２を開けることができない。
【００２６】
また、ロックバー１３には、図３及び図４に示すように、アングル材よりなるバー本体１４の水平板部１４ａの上面側所要部に、全閉したシャッターカーテン２の前記施錠装置７のキー差込部１２の真上位置で隣り合うスラット２ａ，２ａ間に形成される凹状部２ｏに突入する防護プレート２１が固着突設されているから、侵入者が電動ドリルでシャッターカーテン２のキー差込部１２を切削破壊しようとしても、そのキー差込部１２が防護プレート２１で防護されているから、ドリルをキー差込部１２に向けることさえできない。また、施錠装置７のキー差込部１２が不測に解錠操作されてシャッターカーテン２の上動が可能な状態となったとしても、防護プレート２１がシャッターカーテン２の隣り合うスラット２ａ，２ａ間の凹状部２ｏに突入しているから、この防護プレート２１がストッパーとなって、シャッターカーテン２を上動させることができなくなる。
【００２７】
更にまた、図４から分かるように、シャッターカーテン２の下端には、前記施錠装置７のキー差込部１２が不測に解錠操作されてシャッターカーテン２が上動可能な状態になっても、下部側ロックバー２３のバー本体１４に引っ掛かかってそれ以上の上動を阻止する係止板部２０ａを具えた座板２０が連設されている。図４にはシャッターカーテン２が図中の矢印Ｑで示すように上動した時に座板２０の係止板部２０ａが下部側ロックバー１３のバー本体１４に引っ掛かった状態を仮想線で示している。尚、座板２０は、シャッターカーテン２の下端スラット２ｂに接合さた垂直板部２０ｂとこれの下端から水平に延びる係止板部２０ａとからなる。
【００２８】
また、ロックバー１３，２３のバー本体１４は、角形鋼等で形成することもできるが、アングル材（山形材）からなるものが最も好ましい。これは、アングル材が角形鋼に比べて軽量にもかかわらず、曲げ強度に優れているからである。また、アングル材は、腐食に強いステンレス鋼製のものを使用する。
【００２９】
ガイドレール３に取り付ける連結部材１８は、図１〜図５に示す実施形態では、図５の(a) ，(b) に示すように、アングル片２９の一方の板部２９ａをガイドレール３の前側面に溶接により固着し、その固着面から垂直に突出する他方の板部２９ｂを当該連結部材としている。尚、この実施形態では、連結部材１８をガイドレール３の前側面に直接に溶接して取り付けているが、ガイドレール３の前側面に適当な補強板を溶接等により固着し、この補強板に連結部材１８を取り付けてもよい。
【００３０】
また、連結板１５の施錠孔１６と連結部材１８の施錠孔１７とにわたって装着する南京錠１９としては、ＡＢＵＳ（アバス）社製の南京錠を使用する。このＡＢＵＳ（アバス）社製南京錠は、ＡＢＵＳ（アバス）日本総代理店である株式会社日本ロックサービスにより販売されている。図６の(a) 〜(c) にＡＢＵＳ（アバス）社製の南京錠を示している。この南京錠１９は、図６の(a) に示すように、錠本体２４と、円形状又はＵ字状の掛け金（ツル）２５と、図示しない錠前機構とからなるもので、これの特徴は、掛け金２５の太さが太く、極めて頑丈に形成されていると共に、掛け金２５の両袖部が両側一対の袖部ガード２６，２６によって保護されていて、施錠時における掛け金２５の露出部が少なく、容易に破壊され得ない構造となっていることに加え、合鍵が簡単に作れないようになっていることである。図６の(b) は掛け金２５が周方向に回転して錠本体２４内に引っ込んで解錠された状態を示し、また(c) は南京錠１９の底面図で、キー差込部２７を塞ぐカバー片２８がその一端部を中心に回転してキー差込部２７を開閉する状態を示す。
【００３１】
図１〜図６によって説明した上記のような構成の本発明に係るシャッターの防犯装置の作用について、以下に説明する。
【００３２】
先ず、防犯装置を設置するには、図１及び図２に示すようにシャッターカーテン２が建物開口部１を全閉した状態で、上部ロックバー１３をそのバー本体１４がシャッターカーテン２の表面側にあるキー差込部１２を被うように水平に配置して、図５の(a) ，(b) に示すように、ロックバー１３の両連結板１５，１５を両ガイドレール３，３の連結部材１８，１８に夫々当接させて、各連結板１５の施錠孔１６と連結部材１８の施錠孔１７とにわたって南京錠１９を装着する。それから、下部側ロックバー２３を上部側ロックバー１３の下方でシャッターカーテン２の下端部側に水平に配置して、上部側ロックバー１３と同様に各ロックバー１３の連結板１５を各ガイドレール３の連結部材１８に当接させて、連結板１５の施錠孔１６と連結部材１８の施錠孔１７とにわたって南京錠１９を装着し、図１、図４及び図５に示すような取付状態とする。
【００３３】
こうして全閉したシャッターカーテン２の表側に防犯装置を設置しておくことにより、建物内への侵入を試みようとする者（侵入者）が電動ドリル等でシャッターカーテン２の表側にあるキー差込部１２を破壊しようとしても、そのキー差込部１２がロックバー１３のバー本体１４で被われているから、ドリルをキー差込部１２に近づけることができず、破壊することができない。また、ロックバー１３にはキー差込部１２の真上位置で隣り合うスラット２ａ，２ａ間に形成される凹状部２ｏに突入する防護プレート２１が固着突設されているから、不法侵入者がシャッターカーテン２のキー差込部１２近傍を建物内方へ押した状態でドリル等によりシャッターカーテン２のキー差込部１２を破壊しようとしても、キー差込部１２の上部側が防護プレート２１で防護されているから、ドリル等をキー差込部１２に当てることができない。
【００３４】
また、仮に、施錠装置７のキー差込部１２が不測に解錠操作されてシャッターカーテン２の上動が可能な状態となったとしても、シャッターカーテン２の下端スラット２ｂに接合され座板２の係止板部２０ａが図４の仮想線図示のように下部側ロックバー２３のバー本体１４にバー本体１４に引っ掛かかってそれ以上の上動が阻止されるから、シャッターカーテン２を上動して開けることができない。この場合、下部側ロックバー２３のバー本体１４は、図４から分かるように、シャッターカーテン２の下端スラット２ｂから例えば３つ目のスラット２ａを被うような位置に配置されていて、下部側ロックバー２３のバー本体１４と床面Ｆとの隙間が１２〜１５ｃｍ程度しか開いていないため、そのような隙間から不法侵入者が侵入することはできない。
【００３５】
また仮に施錠装置７のキー差込部１２が不測に解錠操作されてシャッターカーテン２の上動が可能な状態となったとしても、上部側ロックバー１３及び下部側ロックバー２３に夫々防護プレート２１が固着突設されていて、これらの防護プレート２１が図４に示すようにシャッターカーテン２の隣り合うスラット２ａ，２ａ間の凹状部２ｏに突入しているから、これらの防護プレート２１がストッパーとなって、シャッターカーテン２を上動させることができなくなり、シャッターカーテン２を開けることができない。尚、防護プレート２１は、下部側ロックバー２３には設けなくてもよい。
【００３６】
また、建物内へ侵入しようとする者が、何らかの切断工具で南京錠１９の掛け金２５を切断しよう試みても、この南京錠１９は、掛け金２５の太さが太く、極めて頑丈に形成されていると共に、掛け金２５の両袖部が両側一対の袖部ガード２６，２６によって保護されていて、施錠時における掛け金２５の露出部が少ない構造となっているため、その掛け金２５を容易に切断することはできない。
【００３７】
図７はガイドレール３側に設ける連結部材１８を折り畳み可能とした実施形態を示す。即ち、この連結部材１８は、ガイドレール３の表面側に溶接により固着された基板３０に蝶着されて、ロックバー１３の連結板１５に当接するように起立する起立位置と、上記基板３０に対し折り畳まれる折畳位置とに回動可能となっている。このように折り畳み可能な連結部材１８とすれば、シャッターを開放して防犯装置を使用しない時には、連結部材１８を折り畳んでおけば、連結部材１８に衣服や身体などを引っ掛けることがなく、安全性を確保できる。
【００３８】
図８は本発明に係る防犯装置を備えたダブルシャッターが建物開口部１を全閉した状態を表側から見た正面図である。このシャッターは、左右両支柱１ａ，１ａと両支柱１ａ，１ａの上端部をつなぐ横枠１ｂと床面Ｆとの間に形成される建物開口部１の左右方向中央部に中柱１ｃを取り外し可能に立設しすることにより建物開口部１を二分して、この二分した２つの建物開口部１，１に設置されるダブルシャッターである。中柱１ｃは、左右両側に背中合わせにガイドレール３，３を連設したレール枠３１と、このレール枠３１の前面側に固着された溝形枠３２とからなるもので、溝形枠３２の両側壁部が連結部材１８，１８とされる。この溝形枠３２によって形成される連結部材１８は、シャッターカーテン２の高さとほぼ同じ長さを有する。
【００３９】
上記のように中柱１ｃを挟んでその両側に夫々設置されるシャッターは、図１，図２に示すシングルシャッターと同じく、複数のスラット２ａ・・・を上下に連設して形成されたシャッターカーテン２と、片方の支柱１ａと中柱１ｃとに沿って夫々配設され、シャッターカーテン２の幅方向両端部を受け入れて案内する左右のガイドレール３，３と、建物開口部１の上方に設けられたシャッターケース４に内装され、各シャッターカーテン２の上端部が連結される左右の巻取ドラム（図示せず）とを備えている。各シャッターには、図８に示す全閉したシャッターカーテン２の中段より下方に、図１，図２に示すシャッターに設けてあるシャッター施錠装置７と同じものが設けられている。
【００４０】
そして各シャッターに設けられる防犯装置は、図１，図２に示すシャッターと同じ構造であるため、図示は簡略するが、全閉したシャッターカーテン２の表側所要部に露出している施錠装置７のキー差込部１２を被うように水平に配置されるバー本体１４と、このバー本体１４の両端面に夫々バー本体１４と直交するように固着された連結板１５，１５と、からなるロックバー１３を設け、各連結板１５に施錠孔１６を形成する一方、両ガイドレール３，３側には、ロックバー１３の連結板１５に当接すると共に、前記連結板１５の施錠孔１６に合致する施錠孔１７を有する連結部材１８を取り付け、而して図１及び図５に示すようにロックバー１３をそのバー本体１４がシャッターカーテン２の表面側にあるキー差込部１２を被うように水平に配置して、図９の(a) に示すように、ロックバー１３側の連結板１５をガイドレール３側の連結部材１８に当接させ、連結板１５の施錠孔１６と連結部材１８の施錠孔１７とにわたって南京錠１９を装着し、そしてまたキー差込部１２を被うように水平に配置した上部側ロックバー１３の下方でシャッターカーテン２の下端部側に下部側ロックバー２３を備え、両ガイドレール３，３側にはロックバー１３の連結板１５に当接すると共にその施錠孔１６に合致する施錠孔１７を有する連結部材１８を設け、而してこの下部側ロックバー１３をシャッターカーテン２の下端部に水平に配置して、上部側ロックバー１３と同様に、ロックバー１３側の連結板１５をガイドレール３側の連結部材１８に当接させ、連結板１５の施錠孔１６と連結部材１８の施錠孔１７とにわたって南京錠１９を装着するようにしたものである。
【００４１】
この図８に示す防犯装置ではガイドレール３側に設けられる連結部材１８は、ガイドレール３側に固着されて、そのガイドレール３とほぼ同じ長さの長尺部材からなる、つまり図９の(a) に示すようにガイドレール３に沿って固着された溝形枠３２の側壁部からなるもので、この長尺部材からなる連結部材（溝形枠３２の側壁部）には、上部側ロックバー１３及び下部側ロックバー２３の連結板１５が南京錠１９で取り付けられる取付位置の下側に、図９の(b) に示すように、その連結板１５を載せ置きする載せ置き部材３３が固着されている。
【００４２】
この載せ置き部材３３は、例えばロックバー１３をシャッターカーテン２のキー差込部１２を被うように水平に配置し、ロックバー１３の連結板１５，１５をガイドレール３，３側の連結部材１８，１８に当接させて、連結板１５の施錠孔１６と連結部材１８の施錠孔１７とにわたって南京錠１９を装着する作業を行う時に、ロックバー１３の一方の連結板１５を、図９の(b) に示すように中柱１ｃ側のガイドレール３に設けてある連結部材１８に当接させると共に、その連結板１５に固着された載せ置き部材３の上端面３３ａに載せ置いて仮置きしておき、ロックバー１３の他方の連結板１５を支柱１ａ側のガイドレール３の連結部材１８に当接させ、その連結板１５と連結部材１８とに南京錠１９を装着した後に、ロックバー１３の前記一方の連結板１５と連結部材１８とに南京錠１９を装着するようにすれば、ロックバー１３の設置作業を一人の作業者で行うことができる。因に、このような載せ置き部材３３が無ければ、一人で作業を行なえないから、少なくとも二人の作業者が必要となる。
【００４３】
図８に示すシャッターの防犯装置では、各シャッターカーテン２の支柱１ａ側のガイドレール３の連結部材１８が短片状の連結部材で、中柱１ｃ側のガイドレール３が長尺部材からなるものであるが、支柱１ａ側のガイドレール３の連結部材１８も長尺部材からなるものとすれば、何れの連結部材１８にも前記載せ置き部材３３を取り付けることができるから、南京錠１９の装着作業を一人で行うことができる。また、図１及び図２に示すシャッターの防犯装置では、シャッターカーテン２の両側に位置する両ガイドレール３，３に夫々短片状の連結部材１８を設けているが、両ガイドレール３，３に夫々長尺状の連結部材１８を設けて、両連結部材１８，１８に夫々載せ置き部材３３を取り付けることもでき、そうすればロックバー１３の両連結板１５，１５を両連結部材１８，１８の載せ置き部材３３，３３に載せ置きできるため、ロックバー１３の設置作業を一人で非常に楽に行なうことができる。尚、載せ置き部材３３は、上部側ロックバー１３について説明したが、下部側ロックバー２３の片方の連結板１５又は両方の連結板１５，１５を載せ置きできるように設けられるものである。
【００４４】
１            建物開口部
２            シャッターカーテン
２ａ          スラット
３            ガイドレール
７            施錠装置
１２          施錠装置のキー差込部
１３          ロックバー（上部側）
１４          ロックバーのバー本体
１５          ロックバーの連結板
１６          連結板側の施錠孔
１７          連結部材側の施錠孔
１８          連結部材
１９          南京錠
２３          ロックバー（下部側）
３３          載せ置き部材
【図１】
2013237980.tif 000003
【図２】
2013237980.tif 000004
【図３】
2013237980.tif 000005
【図４】
2013237980.tif 000006
【図５】
2013237980.tif 000007
【図６】
2013237980.tif 000008
【図７】
2013237980.tif 000009
【図８】
2013237980.tif 000010
【図９】
2013237980.tif 000011